(57)【特許請求の範囲】
【請求項１】
W-CDMAシステムでユーザに無線リソースを割り当てる第１の割当手段と、
LTEシステムでユーザに無線リソースを割り当てる第２の割当手段と、
W-CDMAシステムでもLTEシステムでも通信可能なデュアルモード端末と、
前記W-CDMAシステムの輻輳度及び前記LTEシステムの輻輳度が所定値以上異なっていなかった場合において、前記デュアルモード端末が通信するユーザトラフィックデータが周期的に発生するデータであった場合には前記第１の割当手段を選択し、前記デュアルモード端末が通信するユーザトラフィックデータが周期的に発生するデータでなかった場合には前記第２の割当手段を選択し、前記W-CDMAシステムの輻輳度及び前記LTEシステムの輻輳度が所定値以上異なっていた場合には輻輳していない方に対応する割当手段を選択する選択手段と、
を有し、前記選択手段で選択された割当手段は、前記デュアルモード端末の無線リソースを決定し、決定内容を該デュアルモード端末に通知する、移動通信システム。
【請求項２】
前記第１の割当手段が、W-CDMAシステムの基地局に設けられている請求項１記載の移動通信システム。
【請求項３】
前記第１の割当手段が、W-CDMAシステムの基地局を制御する無線ネットワークコントローラに設けられている請求項１記載の移動通信システム。
【請求項４】
前記第２の割当手段が、LTEシステムの基地局に設けられている請求項１記載の移動通信システム。
【請求項５】
W-CDMAシステムでユーザに無線リソースを割り当てる第１の割当手段と、
LTEシステムでユーザに無線リソースを割り当てる第２の割当手段と、
W-CDMAシステムでもLTEシステムでも通信可能なデュアルモード端末と、
を含む複合通信システムで使用される制御装置であって、
前記W-CDMAシステムの輻輳度及び前記LTEシステムの輻輳度が所定値以上異なっていなかった場合において、前記デュアルモード端末が通信するユーザトラフィックデータが周期的に発生するデータであった場合には前記第１の割当手段を選択し、前記デュアルモード端末が通信するユーザトラフィックデータが周期的に発生するデータでなかった場合には前記第２の割当手段を選択し、前記W-CDMAシステムの輻輳度及び前記LTEシステムの輻輳度が所定値以上異なっていた場合には輻輳していない方に対応する割当手段を選択する選択手段と、
選択された割当手段が前記デュアルモード端末の無線リソースを決定し、決定内容を該デュアルモード端末に通知するように、選択の行われたことを前記第１又は第２の割当手段に通知する手段と、
を有する制御装置。
【請求項６】
当該制御装置が、LTEシステムの基地局に設けられている請求項５記載の制御装置。
【請求項７】
W-CDMAシステムでユーザに無線リソースを割り当てる第１の割当手段と、
LTEシステムでユーザに無線リソースを割り当てる第２の割当手段と、
W-CDMAシステムでもLTEシステムでも通信可能なデュアルモード端末と、
前記第１の割当手段又は第２の割当手段を選択する選択手段と、
を有する複合通信システムにおける制御装置が実行する方法であって、
前記W-CDMAシステムの輻輳度及び前記LTEシステムの輻輳度が所定値以上異なっていなかった場合において、前記選択手段が、前記デュアルモード端末が通信するユーザトラフィックデータが周期的に発生するデータであった場合には前記第１の割当手段を選択し、前記デュアルモード端末が通信するユーザトラフィックデータが周期的に発生するデータでなかった場合には前記第２の割当手段を選択し、前記W-CDMAシステムの輻輳度及び前記LTEシステムの輻輳度が所定値以上異なっていた場合には輻輳していない方に対応する割当手段を選択するステップと、
選択が行われたことを前記第１又は第２の割当手段に通知するステップと、
前記第１又は第２の割当手段で、前記デュアルモード端末の無線リソースを決定し、決定内容を該デュアルモード端末に通知するステップと、
を有する制御方法。
【請求項８】
前記デュアルモード端末が通信するユーザトラフィックデータの種別は、前記デュアルモード端末で判別され、判別内容が所定の方法で前記選択手段に通知されるようにした請求項７記載の制御方法。
【発明の詳細な説明】
【技術分野】
【０００１】
本発明は移動通信システム、制御装置及び方法に関連する。
【背景技術】
【０００２】
従来この種の技術分野では、IMT2000システムが使用されている。従来のIMT2000システムではワイドバンド符号分割多重接続(Ｗ−ＣＤＭＡ)方式が前提となっており、高速ダウンリンクパケットアクセス(ＨＳＤＰＡ)方式、高速アップリンクパケットアクセス（ＨＳＵＰＡ）方式等も使用されている。(従来のIMT2000システムについては、例えば非特許文献１，２参照。)。
【０００３】
一方、Ｗ−ＣＤＭＡの標準化団体３ＧＰＰにより、次世代の移動通信システムの検討も進んでいる。そのようなシステムはEvolved−UTRA又はロングタームエボリューション(LTE:  Long  Term Evolution)システムと呼ばれている。ＬＴＥシステムでは、無線アクセス方式として、下りリンクについては直交周波数分割多重接続(OFDM:  Orthogonal  Frequency  Division  Multiplexing)方式が使用され、上りリンクについてはシングルキャリア周波数分割多重接続(SC-FDMA:  Single-Carrier  Frequency  Division  Multiple  Access)方式が使用される（これについては例えば、非特許文献３参照）。
【０００４】
ＯＦＤＭ方式は、周波数帯域を複数の狭い周波数帯域（サブキャリア）に分割し、各サブキャリアにデータを載せて伝送を行うマルチキャリア伝送方式である。サブキャリアを周波数軸上に直交させながら密に並べることで高速伝送を実現し、周波数の利用効率を上げることが期待できる。ＳＣ−ＦＤＭＡ方式は、周波数帯域を端末毎に分割し、複数の端末間で異なる周波数帯域を用いて伝送するシングルキャリア伝送方式である。端末間の干渉を簡易且つ効果的に低減することができることに加えて送信電力の変動を小さくできるので、この方式は端末の低消費電力化及びカバレッジの拡大等の観点から好ましい。
【０００５】
将来的には、W-CDMAシステムとLTEシステムが少なくとも一定期間並存し、両システムで動作可能なデュアルモード端末が出現することも予想される。W-CDMAシステム及びLTEシステムは異なる無線アクセス技術を使用するので、運用及び動作も別個独立になされるかもしれない。
【０００６】
ところで、LTEシステムはデータの高速大容量通信等の観点から特に有利である一方、W-CDMAシステムは音声データのような通信に有利である。しかしながら両システムが別個独立に運用されると、そのような特質を加味して無線リソースを高効率に活用することは期待できなくなってしまう。
【非特許文献１】3GPP,  TS  25.308,Technical  Specification  Group  Radio  Access  Network;  High  Speed  Downlink  Packet  Access  (HSDPA);  Overall  description;  Stage  2
【非特許文献２】3GPP  TS  25.309,  Technical  Specification  Group  Radio  Access  Network;  FDD  Enhanced  Uplink;  Overall  description;  Stage  2
【非特許文献３】3GPP  TS  36.211(V8.0.0),  Sept  2007
【発明の開示】
【発明が解決しようとする課題】
【０００７】
本発明の課題は、W-CDMAシステムでもLTEシステムでも通信可能な通信可能なデュアルモード端末に無線リソースを効率的に割り当てることである。
【課題を解決するための手段】
【０００８】
本発明で使用される移動通信システムは、
W-CDMAシステムでユーザに無線リソースを割り当てる第１の割当手段と、
LTEシステムでユーザに無線リソースを割り当てる第２の割当手段と、
W-CDMAシステムでもLTEシステムでも通信可能なデュアルモード端末と、
前記W-CDMAシステムの輻輳度及び前記LTEシステムの輻輳度が所定値以上異なっていなかった場合において、前記デュアルモード端末が通信するユーザトラフィックデータが周期的に発生するデータであった場合には前記第１の割当手段を選択し、前記デュアルモード端末が通信するユーザトラフィックデータが周期的に発生するデータでなかった場合には前記第２の割当手段を選択し、前記W-CDMAシステムの輻輳度及び前記LTEシステムの輻輳度が所定値以上異なっていた場合には輻輳していない方に対応する割当手段を選択する選択手段と、
を有し、前記選択手段で選択された割当手段は、前記デュアルモード端末の無線リソースを決定し、決定内容を該デュアルモード端末に通知する、移動通信システムである。
【発明の効果】
【０００９】
本発明によれば、W-CDMAシステムでもLTEシステムでも通信可能な通信可能なデュアルモード端末に無線リソースを効率的に割り当てることができる。
【発明を実施するための最良の形態】
【００１０】
本発明の一形態では移動通信システムが使用される。移動通信システムは、デュアルモード端末が通信するユーザトラフィックデータの種別に応じて、W-CDMAシステムの割当手段（第1の割当手段）又はLTEシステムの割当手段（第２の割当手段）を選択する選択手段を備えている。選択手段で選択された割当手段は、前記デュアルモード端末の無線リソースを決定し、決定内容を該デュアルモード端末に通知する。
【００１１】
第１の割当手段は、W-CDMAシステムの基地局に設けられていてもよい。
【００１２】
第１の割当手段は、W-CDMAシステムの基地局を制御する無線ネットワークコントローラに設けられていてもよい。
【００１３】
第２の割当手段は、LTEシステムの基地局に設けられていてもよい。
【００１４】
選択手段は、ユーザトラフィックデータが周期的に発生するデータであるか否かに応じて選択を行ってもよい。
【００１５】
選択手段は、ユーザトラフィックデータが周期的に発生するデータであった場合、第１の割当手段を選択するという判断基準を有していてもよい。
【００１６】
選択手段は、ユーザトラフィックデータが周期的に発生するデータでなかった場合、第２の割当手段を選択するという判断基準を有していてもよい。
【００１７】
選択手段は、W-CDMAシステム及びLTEシステムの輻輳度に応じて選択を行ってもよい。
【００１８】
本発明の一形態によれば、複合通信システムで使用される制御装置が使用される。複合通信システムは、W-CDMAシステムでユーザに無線リソースを割り当てる第1の割当手段と、LTEシステムでユーザに無線リソースを割り当てる第２の割当手段と、W-CDMAシステムでもLTEシステムでも通信可能なデュアルモード端末とを含む。制御装置は、  前記デュアルモード端末が通信するユーザトラフィックデータの種別に応じて、前記第1の割当手段又は第２の割当手段を選択する選択手段と、選択された割当手段が前記デュアルモード端末の無線リソースを決定し、決定内容を該デュアルモード端末に通知するように、選択の行われたことを前記第1又は第２の割当手段に通知する手段とを有する。
【００１９】
発明の理解を促すため具体的な数値例を用いて説明がなされるが、特に断りのない限り、それらの数値は単なる一例に過ぎず適切な如何なる値が使用されてもよい。
【実施例１】
【００２０】
＜システム（その１）＞
図１は本発明の一実施例による移動通信システムを示す。移動通信システムは、従来のW-CDMAシステムと次世代のLTEシステムとを含み、図示されているように同一地域で運用されている。W-CDMAシステムは、図示の例では、高速ダウンリンク／アップリンクパケットアクセス方式(HSDPA/HSUPA:  High  Speed  Down/Up-link  Packet  Access)を使用する。W-CDMAシステムは全セルで同じシステム帯域幅（例えば5MHz）を使用する。LTEシステムは、システム毎にシステム帯域幅が異なってもよいが、帯域幅の選択肢(例えば、1.25MHz,5MHz,10MHz,20MHz等)は予め決まっている。セル構成は各システムで独立に決定されてよいが、本実施例が使用される状況では少なくとも一部の地域で両システムが混在しているものとする。
【００２１】
図１には、ユーザ装置と、ネットワーク装置とが示されている。ユーザ装置には、W-CDMAシステムに専用の端末(W-CDMA専用端末)と、LTEシステムに専用の端末(LTE専用端末)と、W-CDMA及びLTEシステム双方で動作可能なデュアル端末とが含まれてよい。図示の簡明化を図るため、LTE専用端末は図示されていない。ユーザ装置は多数存在してよいが、図示の簡明化のため１つのW-CDMA専用端末及び１つのデュアル端末しか描かれていない。
【００２２】
ネットワーク装置は、W-CDMAシステム用の基地局NodeBと、LTEシステム用の基地局eNBと、制御装置とを含む。
【００２３】
W-CDMAシステム用の基地局NodeBは、ユーザ装置と無線通信を行い、上位ノードと有線通信を行う機能を有する。図示の例では、基地局NodeBは、下りリンクの信号に対して、誤り訂正符号化、データ変調、拡散変調等の処理を行う。基地局NodeBは、上りリンクの信号に対して、逆拡散、データ復調、誤り訂正復号化等の処理を行う。ユーザデータに対するデータ変調方式は、適応変調及び符号化方式(AMC:  Adaptive  Modulation  and  Coding)により、チャネル状態に応じて適応的に変更される。ユーザデータについては、ハイブリッド自動再送制御(HARQ:  Hybrid  Automatic  Repeat  reQuest)方式により再送が行われる。HSDPA/HDUPA方式では、無線リソースは複数のユーザ装置で共有され、いつどのユーザが共有チャネルを利用するかがサブフレーム毎に決定される（時間スケジューリングが行われる。）。
【００２４】
LTEシステム用の基地局eNBも、ユーザ装置と無線通信を行い、上位ノードと有線通信を行う機能を有する。基地局eNBは、下りリンクの信号に対して、誤り訂正符号化、データ変調、逆フーリエ変換等の処理を行う。基地局eNBは、上りリンクの信号に対して、フーリエ変換、デマッピング、逆フーリエ変換、データ復調、誤り訂正復号化等の処理を行う。ユーザデータは、適切に分割及び／又は結合される。ユーザデータに対するデータ変調方式は、適応変調及び符号化方式(AMC)により、チャネル状態に応じて適応的に変更される。ユーザデータについては、ハイブリッド自動再送制御(HARQ)方式により再送が行われる。LTEシステムでも、無線リソースは複数のユーザ装置で共有され、いつどのユーザがどのリソースブロックを利用するかがサブフレーム毎に決定される（W-CDMAシステムとは異なり、時間及び周波数の２次元スケジューリングが行われる。）。更に、基地局eNBは自装置の状態管理及び無線リソースの管理に加えて、通信チャネルの設定及び解放のような呼処理も行う。この点、そのような処理が基地局より上位のノードで行われるW-CDMAシステムと異なる。
【００２５】
本実施例で使用される制御装置は、ユーザ装置が通信する信号の種別及び／又は輻輳度に応じて、そのユーザ装置がW-CDMA又はLTEシステムの何れで通信すべきかを決定する。上述したように、W-CDMAシステムは、例えば数十ミリ秒毎に周期的にサイズの小さなデータが発生する場合に有利である。そのようなデータは例えば音声パケット(VoIP)、テレビ電話用信号、リアルタイムデータ等である。その反面、W-CDMAシステムは、多くのデータを高速に伝送するような用途には有利ではない。一方LTEシステムは、多くのデータを高速に伝送する用途に適している。その反面、LTEシステムでは原則として各パケットにオーバーヘッドが付随するので、小さなサイズのパケットを頻繁に伝送することには有利でない。制御装置は、このような各システムの特質を活用し、ユーザ装置が通信する信号が何れのシステムに相応しいかを判定し、判定結果をユーザ装置及び選択された基地局に伝える。
【００２６】
＜システム（その２）＞
図２は別のシステム構成例を示す。LTEシステム用の基地局eNBと制御装置との関係は図１と同様であるが、制御装置が無線ネットワークコントローラ(RNC)を介して基地局NodeBと通信する点が異なる。図示の例の場合、W-CDMAシステム用の基地局NodeBは、無線リソースを割り当てる機能を備えていない。無線リソースの割当やハンドオーバ制御等はRNCで行われる。無線リソースは回線交換方式で使用され、接続されているユーザはその回線を独占的に使用できる。図示のW-CDMAシステムではセクタ／セル間ダイバーシチが行われ、送信ダイバーシチ及びソフトコンバイニング（最大比合成）が行われてもよい。
【００２７】
＜第１の動作例＞
図３は本発明の一実施例による第1の動作例を示す。この動作例は下りデータをデュアルモード端末に伝送する様子を示す。システム構成は図１に示されるものでもよいし、図２に示されるものでもよい。デュアルモード端末であるユーザ装置宛のデータがネットワークの上位ノードから制御装置に到着したとする。
【００２８】
ステップS10では、デュアルモード端末であるユーザ装置へデータを伝送するのに何れのシステムが適切であるかを判断する。判断基準は、例えば次のようなものが考えられる。
【００２９】
判断基準１：小さなサイズのデータが頻繁に発生する場合（音声パケット(VoIP)、テレビ電話用信号、リアルタイムデータ等）、W-CDMAシステムが選択される。
【００３０】
判断基準２：大きなサイズのデータ（例えば、高画質画像等）を伝送する場合、LTEシステムが選択される。
【００３１】
判断基準３：判断基準１及び／又は２で選択された一方のシステムが輻輳していた場合、やむをえず他方のシステムが再選択される。
【００３２】
判断基準４：判断基準１及び２とは別に、輻輳していない方のシステムが選択される。
【００３３】
判断基準５：各システムの輻輳度が著しく異なっていなかった場合、判断基準１及び／又は２に従って一方のシステムが選択される。
【００３４】
これらの判断基準は一例であり、これらの1つ以上及び／又は他の判断基準でシステムの選択が行われてもよい。選択されるシステムは図示の例では２者択一であるが、データ種別や輻輳度等に基づいて、３以上の候補の中から１つのシステムが選択されてもよい。
【００３５】
なお、W-CDMA専用端末への下りデータ伝送や、LTE専用端末への下りデータ伝送については、システムを選択できないので、データ種別の判定は行われなくてよい。
【００３６】
ステップS12は、ステップS10でW-CDMAシステムが選択された場合のシーケンスである。この場合、W-CDMAシステムで無線リソースの割当を行う装置(第１割当装置)に、W-CDMAシステムが選択されたことが通知される。第１割当装置は図１のシステムの場合はW-CDMA用基地局に備わっているが、図２のシステムの場合はRNCに備わっている。
【００３７】
ステップS14では、ユーザ装置宛の下りデータを伝送するために、拡散符号等の無線リソースが割り当てられる。
【００３８】
ステップS16では、ユーザ装置が呼び出され、下りデータ伝送に使用される無線リソースが何であるかが通知される。図示の簡明化のため、ユーザ装置の呼び出し(ページング)と、無線リソースの通知(シグナリング)が一緒になされるように見えるかもしれないが、実際には別々のシーケンスで行われる。
【００３９】
ステップS18では、例えばVoIPのような下りデータがユーザ装置に伝送される。
【００４０】
ステップS22は、ステップS10でLTEシステムが選択された場合のシーケンスである。この場合、LTEシステムで無線リソースの割当を行う装置(第２割当装置)に、LTEシステムが選択されたことが通知される。第２割当装置は図１又は図２のE-UTRA用基地局に備わっている。
【００４１】
ステップS24では、ユーザ装置宛の下りデータを伝送するために、リソースブロック等の無線リソースが割り当てられる。
【００４２】
ステップS26では、ユーザ装置が呼び出され、下りデータ伝送に使用される無線リソースが何であるかが通知される。図示の簡明化のため、ユーザ装置の呼び出し(ページング)と、無線リソースの通知(シグナリング)が一緒になされるように見えるかもしれないが、実際には別々のシーケンスで行われる。無線リソース等のシグナリングは、下り物理共有チャネルPDSCHに付随する下りL1/L2制御チャネルで行われる。
【００４３】
ステップS28では、例えば高品質画像のような下りデータがユーザ装置に伝送される。
【００４４】
＜第２の動作例＞
図４は本発明の一実施例による第２の動作例を示す。この動作例は上りデータをデュアルモード端末が送信する様子を示す。システム構成は図１に示されるものでもよいし、図２に示されるものでもよい。デュアルモード端末であるユーザ装置には、システムを選択する機能が備わっているものとする。ステップS11では、ユーザ装置で発生した上りデータの種別に応じて、W-CDMAシステム又はLTEシステムが選択される。この場合における判断では、システムの輻輳度を考慮することはできないので、第１の動作例(ステップS10)で説明された判断基準１及び／又は２が使用される。
【００４５】
ステップS13では、ユーザ装置がW-CDMAシステムを選択したことが第1割当装置に通知される。
【００４６】
ステップS14では、ユーザ装置宛の下りデータを伝送するために、拡散符号等の無線リソースが割り当てられる。
【００４７】
ステップS16では、ユーザ装置が呼び出され、下りデータ伝送に使用される無線リソースが何であるかが通知される。
【００４８】
ステップS18では、例えばVoIPのような上りデータがユーザ装置との間で通信される。
【００４９】
ステップS22は、ステップS11でLTEシステムが選択された場合のシーケンスである。この場合、LTEシステムの第２割当装置に、LTEシステムが選択されたことが通知される。
【００５０】
ステップS24では、ユーザ装置宛の下りデータを伝送するために、リソースブロック等の無線リソースが割り当てられる。
【００５１】
ステップS26では、ユーザ装置が呼び出され、下りデータ伝送に使用される無線リソースが何であるかが通知される。無線リソース等のシグナリングは、下り物理共有チャネルPDSCHに付随する下りL1/L2制御チャネルで行われる。
【００５２】
ステップS28では、例えば高品質画像のような上りデータがユーザ装置との間で通信される。
【００５３】
＜第３の動作例＞
図５は本発明の一実施例による第３の動作例を示す。この動作例も上りデータをデュアルモード端末が送信する様子を示す。システム構成は図１に示されるものでもよいし、図２に示されるものでもよい。デュアルモード端末であるユーザ装置には、データ種別を判別する機能は備わっているが、図４の場合とは異なりデータ伝送に使用するシステムを決定することはできないものとする。
【００５４】
ステップS8では、ユーザ装置で発生した上りデータの種別が判別される。例えば、上りデータは、小さなサイズのデータが頻繁に発生するようなデータであるか否か、大きなサイズのデータであるか否か等が判定される。
【００５５】
ステップS9では、ステップS8での判定結果が制御装置に通知される。この通知は、予め決められたシーケンスでなされるものとする。判定結果の通知は、E-UTRA用基地局eNBを介してなされてもよいし、リソース割当機能を有するW-CDMA用基地局(NodeB)を介してなされてもよいし、技術的にはRNCを介してなされてもよい。但し、判定結果の通知に要する伝送遅延をなるべく短縮する観点からは、E-UTRA用基地局eNBを介してなされてもよいし、リソース割当機能を有するW-CDMA用基地局(NodeB)を介して行うことが好ましい。
【００５６】
ステップS10では、データ種別の判定結果に基づいて、ユーザ装置へデータを伝送するのに何れのシステムが適切であるかを判断する。データ種別はユーザ装置により判定済みなので、この動作例のステップS10では、上記の判断基準３，４，５の1つ以上を用いてシステムが選択される。
【００５７】
ステップS12は、ステップS10でW-CDMAシステムが選択された場合のシーケンスである。この場合、W-CDMAシステムの第１割当装置に、W-CDMAシステムが選択されたことが通知される。
【００５８】
ステップS14では、ユーザ装置からの上りデータを伝送するために、拡散符号等の無線リソースが割り当てられる。
【００５９】
ステップS16では、上りデータ伝送に使用される無線リソースが何であるかが通知される。
【００６０】
ステップS18では、例えばVoIPのような上りデータがユーザ装置との間で通信される。
【００６１】
ステップS22は、ステップS10でLTEシステムが選択された場合のシーケンスである。この場合、LTEシステムの第２割当装置に、LTEシステムが選択されたことが通知される。
【００６２】
ステップS24では、ユーザ装置からの上りデータを伝送するために、リソースブロック等の無線リソースが割り当てられる。
【００６３】
ステップS26では、上りデータ伝送に使用される無線リソースが何であるかが通知される。無線リソース等のシグナリングは下りL1/L2制御チャネルで行われる。
【００６４】
ステップS28では、例えば高品質画像のような上りデータがユーザ装置との間で通信される。
【００６５】
以上本発明は特定の実施例を参照しながら説明されてきたが、各実施例は単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。
【図面の簡単な説明】
【００６６】
【図１】本発明の一実施例による移動通信システムを示す図である。
【図２】移動通信システムの別の構成例を示す図である。
【図３】本発明の一実施例による第1の動作例を示すフローチャートである。
【図４】本発明の一実施例による第２の動作例を示すフローチャートである。
【図５】本発明の一実施例による第３の動作例を示すフローチャートである。
【符号の説明】
【００６７】
NodeB  W-CDMAシステムの基地局
eNB  LTEシステムの基地局
UE  ユーザ装置
RNC  無線ネットワークコントローラ
【図１】
0005112820.tif 000002
【図２】
0005112820.tif 000003
【図３】
0005112820.tif 000004
【図４】
0005112820.tif 000005
【図５】
0005112820.tif 000006